(57)【要約】【課題】データの読込みに時間を要さずにスムーズな再生を可能にする。【解決手段】電子カメラは、指定されたコマ番号を基準として、そのコマ番号が増加する方の所定範囲内に存するグループとそのコマ番号が減少する方の所定範囲内に存するグループとを第１の再生リストとして作成し、そのコマ番号が増加方向へ更新された際に、第１の再生リスト内の最大コマ番号から所定数小さいコマ番号の第１の領域内に存するか、又は、そのコマ番号が減少方向へ更新された際に、第１の再生リスト内の最小コマ番号から所定数大きいコマ番号の第２の領域内に存するかを判別し、上記第１の領域内に存すると判定された際には上記最大コマ番号から更にコマ番号が所定数増加するコマ番号のグループを、上記第２の領域内に存すると判定された際には上記最小コマ番号から更にコマ番号が所定数減少するコマ番号のグループを、第２の再生リストとして作成する処理等を行うシスコン５などを有する。【選択図】図１
2005318352.tif 000002
【特許請求の範囲】
【請求項１】
画像データを再生表示可能な画像表示装置において、
再生表示する画像データのコマ番号を指定するコマ番号指定手段と、
上記指定されたコマ番号を基準として、当該指定されたコマ番号が増加する方向の所定範囲内に存在するグループと、上記指定されたコマ番号を基準として、上記指定されたコマ番号が減少する方向の所定範囲内に存在するグループと、を第１の再生リストとして作成する第１の再生リスト作成手段と、
上記コマ番号指定手段によって上記コマ番号が増加方向へ更新された際に、上記第１の再生リスト内の最大コマ番号から所定数小さいコマ番号の第１の領域内に存在するか、または、上記コマ番号指定手段によって上記コマ番号が減少方向へ更新された際に、上記第１の再生リスト内の最小コマ番号から所定数大きいコマ番号の第２の領域内に存在するかを判別する領域判別手段と、
上記コマ番号指定手段によって更新されたコマ番号が、上記第１の領域内に存在すると判定された際には、上記最大コマ番号から更にコマ番号が所定数増加するコマ番号のグループを第２の再生リストとして作成し、上記第２の領域内に存在すると判定された際には、上記最小コマ番号から更にコマ番号が所定数減少するコマ番号のグループを第２の再生リストとして作成する第２の再生リスト作成手段と、
を具備したことを特徴とする画像表示装置。
【請求項２】
上記コマ番号指定手段によって更新されたコマ番号が第１の領域内に存在するとして第２の再生リストが作成された場合には、最小コマ番号から所定数増加するコマ番号のグループを削除し、上記コマ番号指定手段によって更新されたコマ番号が第２の領域内に存在するとして第２の再生リストが作成された場合には、最大コマ番号から所定数減少するコマ番号のグループを削除するようにした、
ことを特徴とする請求項１記載の画像表示装置。
【請求項３】
上記削除されるコマの数は、上記第２の再生リストに登録されたコマ数と同じ数である、
ことを特徴とする請求項２記載の画像表示装置。
【請求項４】
上記コマ番号指定手段は、再生モード時に最初に再生表示する画像データのコマ番号を指定する、
ことを特徴とする請求項１記載の画像表示装置。
【請求項５】
上記コマ番号指定手段は、最新の再生モードに設定される前に設定された再生モード時において最後に再生表示された画像データのコマ番号を指定する、
ことを特徴とする請求項１記載の画像表示装置。
【請求項６】
上記第１の再生リスト又は上記第２の再生リストが作成されている場合であっても、上記コマ番号指定手段によるコマ番号の更新信号の入力を受け付ける、
ことを特徴とする請求項１記載の画像表示装置。
【請求項７】
画像データを再生表示する画像表示方法において、
再生表示する画像データのコマ番号を指定するステップと、
上記指定されたコマ番号を基準として、当該指定されたコマ番号が増加する方向の所定範囲内に存在するグループと、上記指定されたコマ番号を基準として、上記指定されたコマ番号が減少する方向の所定範囲内に存在するグループと、を第１の再生リストとして作成するステップと、
上記指定によって上記コマ番号が増加方向へ更新された際に、上記第１の再生リスト内の最大コマ番号から所定数小さいコマ番号の第１の領域内に存在するか、または、上記指定によって上記コマ番号が減少方向へ更新された際に、上記第１の再生リスト内の最小コマ番号から所定数大きいコマ番号の第２の領域内に存在するかを判別するステップと、
上記指定によって更新されたコマ番号が、上記第１の領域内に存在すると判定された際には、上記最大コマ番号から更にコマ番号が所定数増加するコマ番号のグループを第２の再生リストとして作成し、上記第２の領域内に存在すると判定された際には、上記最小コマ番号から更にコマ番号が所定数減少するコマ番号のグループを第２の再生リストとして作成するステップと、
を具備したことを特徴とする画像表示方法。
【発明の詳細な説明】
【技術分野】
【０００１】
本発明は、画像データを再生表示する画像表示装置及び画像表示方法に関する。
【背景技術】
【０００２】
近年、多くの電子カメラは、撮影で記録媒体に記録した画像ファイルを必要に応じて再生し画像表示する画像表示機能を有している。
このような電子カメラにおいて、撮影により得られた画像ファイルは、一般に、ＤＣＦ（ Design rule for Camera File system ）等の一定のフォーマットに準拠した、例えば図７に示すような階層に従って着脱可能なメモリカード等の記録媒体に記録される。
【０００３】
図８は、そのようにして画像ファイルが記録されたメモリカードのデータ構造の一例を示す図である。但し、同図に示すメモリカードは、ＦＡＴ（ File Allocation Tables ）ファイルシステムにより管理されているものを示している。同図に示すように、このメモリカード上には、ディレクトリの情報として、そのディレクトリの１階層下位のディレクトリの情報又は画像ファイルが記録されている領域の先頭クラスタ番号が記録されたディレクトリ領域と、画像ファイルそのものが記録された画像ファイル領域とが設けられており、ルートディレクトリ領域から順に、その先頭クラスタ番号を辿っていくことにより、所望の画像ファイルにアクセスすることができるようになっている。例えば、ルートディレクトリ領域から順に、先頭クラスタ番号”３”の”ＤＣＩＭ”ディレクトリ領域、先頭クラスタ番号”１０”の”１００ＯＬＹＭＰ”ディレクトリ領域を辿ることで、先頭クラスタ番号”５０”の”ＡＡＡＡ０００１．ｊｐｇ”ファイルにアクセスすることができるようになっている。
【０００４】
しかしながら、このような、ルートディレクトリ領域から順に先頭クラスタ番号を辿っていく手法では、メモリカードに記録される画像ファイルやディレクトリの数が膨大になってくると、所望の画像ファイルにアクセスするまでの所要時間が長くなってしまう。従って、画像ファイルを再生する場合には、所望の画像ファイルを読み出すまでに時間がかかり、画像再生指示に応じたスムーズな画像再生ができない。
【０００５】
特に、近年においては、電子カメラの普及に伴い着脱可能なメモリカード等の記録媒体も、より大容量のものが普及しつつあり、また電子カメラは誰もが手軽に撮影を行うこともできることから、１つの記録媒体に記録される画像ファイルの数は、ますます増大の傾向にある。このような事情からも、画像ファイルにアクセスするまでの所要時間に係る問題は、より大きな問題となってきた。
【０００６】
一方で、特許文献１には、次のようなファイル管理装置が提案されている。この装置では、動画ファイル逆再生処理を行うべく、当該動画ファイルを複数の分割ファイルに分割し、当該分割した複数の分割ファイルの再生順序を登録した分割ファイル制御ファイルを作成する。そして、動画ファイル逆再生を行う場合には、作成された分割ファイル制御ファイルに基づいて、上記複数の分割ファイルから順次データを読込んで逆再生処理する。これにより、データの読込みに時間を要さずにスムーズな逆再生を行うことができるものである。
【特許文献１】特開平６−７５８３３号公報
【発明の開示】
【発明が解決しようとする課題】
【０００７】
この特許文献１には、再生する画像を複数のグループに分け、その再生順序を登録した分割ファイルを作成し、データの読込みに時間を要さずにスムーズな再生を行うこと、即ち、予め存在する画像ファイルの再生順序を制御することが記載されている。しかしながら、上記従来技術では、動画ファイル全てについて分割処理をしなければならず、分割処理に時間がかかってしまう。また、分割処理した多くのファイル全てについての制御ファイルを作成しなければならず、時間とメモリを消費してしまう。
【０００８】
本発明は、上記実情に鑑み、制御ファイルを短時間でかつ少ないメモリで作成し、多くの画像データを、データの読込に時間を要さずにスムーズに再生することができる画像表示装置とその表示方法を提供することを目的とする。
【課題を解決するための手段】
【０００９】
上記目的を達成するため、本発明の第１の態様に係る画像表示装置は、画像データを再生表示可能な画像表示装置において、再生表示する画像データのコマ番号を指定するコマ番号指定手段と、上記指定されたコマ番号を基準として、当該指定されたコマ番号が増加する方向の所定範囲内に存在するグループと、上記指定されたコマ番号を基準として、上記指定されたコマ番号が減少する方向の所定範囲内に存在するグループと、を第１の再生リストとして作成する第１の再生リスト作成手段と、上記コマ番号指定手段によって上記コマ番号が増加方向へ更新された際に、上記第１の再生リスト内の最大コマ番号から所定数小さいコマ番号の第１の領域内に存在するか、または、上記コマ番号指定手段によって上記コマ番号が減少方向へ更新された際に、上記第１の再生リスト内の最小コマ番号から所定数大きいコマ番号の第２の領域内に存在するかを判別する領域判別手段と、上記コマ番号指定手段によって更新されたコマ番号が、上記第１の領域内に存在すると判定された際には、上記最大コマ番号から更にコマ番号が所定数増加するコマ番号のグループを第２の再生リストとして作成し、上記第２の領域内に存在すると判定された際には、上記最小コマ番号から更にコマ番号が所定数減少するコマ番号のグループを第２の再生リストとして作成する第２の再生リスト作成手段と、を具備した構成である。
【００１０】
本構成によれば、画像データを再生表示可能な画像表示装置において、コマ番号指定手段により、再生表示する画像データのコマ番号が指定され、第１の再生リスト作成手段により、上記指定されたコマ番号を基準として、当該指定されたコマ番号が増加する方向の所定範囲内に存在するグループと、上記指定されたコマ番号を基準として、上記指定されたコマ番号が減少する方向の所定範囲内に存在するグループと、が第１の再生リストとして作成され、領域判別手段により、上記コマ番号指定手段によって上記コマ番号が増加方向へ更新された際に、上記第１の再生リスト内の最大コマ番号から所定数小さいコマ番号の第１の領域内に存在するか、または、上記コマ番号指定手段によって上記コマ番号が減少方向へ更新された際に、上記第１の再生リスト内の最小コマ番号から所定数大きいコマ番号の第２の領域内に存在するかが判別され、第２の再生リスト作成手段により、上記コマ番号指定手段によって更新されたコマ番号が、上記第１の領域内に存在すると判定された際には、上記最大コマ番号から更にコマ番号が所定数増加するコマ番号のグループが第２の再生リストとして作成され、上記第２の領域内に存在すると判定された際には、上記最小コマ番号から更にコマ番号が所定数減少するコマ番号のグループが第２の再生リストとして作成される。
【００１１】
本発明の第２の態様に係る画像表示装置は、上記第１の態様において、上記コマ番号指定手段によって更新されたコマ番号が第１の領域内に存在するとして第２の再生リストが作成された場合には、最小コマ番号から所定数増加するコマ番号のグループを削除し、上記コマ番号指定手段によって更新されたコマ番号が第２の領域内に存在するとして第２の再生リストが作成された場合には、最大コマ番号から所定数減少するコマ番号のグループを削除するようにした、構成である。
【００１２】
本発明の第３の態様に係る画像表示装置は、上記第２の態様において、上記削除されるコマの数は、上記第２の再生リストに登録されたコマ数と同じ数である、構成である。
本発明の第４の態様に係る画像表示装置は、上記第１の態様において、上記コマ番号指定手段は、再生モード時に最初に再生表示する画像データのコマ番号を指定する、構成である。
【００１３】
本発明の第５の態様に係る画像表示装置は、上記第１の態様において、上記コマ番号指定手段は、最新の再生モードに設定される前に設定された再生モード時において最後に再生表示された画像データのコマ番号を指定する、構成である。
本発明の第６の態様に係る画像表示装置は、上記第１の態様において、上記第１の再生リスト又は上記第２の再生リストが作成されている場合であっても、上記コマ番号指定手段によるコマ番号の更新信号の入力を受け付ける、構成である。
【００１４】
また、本発明は、上記画像表示装置に限らず、画像表示方法として構成することも可能である。
【発明の効果】
【００１５】
本発明によれば、所定数の再生コマの再生が終了した場合に、さらに再生が続くと予想して、新たな再生リストを事前に作成するようにしたので、さらに再生が続いて使用中のリストの再生予定コマがなくなっても新たな再生リストを参照してスムーズに画像を再生することができる。また、必要に応じて適量の画像コマに関する再生リストを作成するので、当該再生リストを短時間でかつ少ないメモリで作成できる。
【発明を実施するための最良の形態】
【００１６】
以下、本発明の実施例を図面を参照しながら説明する。
図１は、本発明の一実施例に係る画像表示装置又は画像表示方法が適用された電子カメラの主要構成を示す図である。
尚、この電子カメラは、ＤＣＦに準拠するものとし、ここでは、前述の図６に示した階層に従って記録媒体に画像ファイルを記録するものとする。また、ファイルシステムとしては、ＦＡＴファイルシステムを採用するものとする。
【００１７】
図１に示す電子カメラにおいて、撮影レンズ系１によって結像された被写体像は、撮像素子２により電気信号に光電変換され、更に撮像回路３により所定の撮像処理が施された後、Ａ／Ｄ部４によりＡ／Ｄ変換される。そして、このようにして得られた画像データは、システムコントローラ（以下単に「シスコン」という）５により所定の画像処理が施された後、画像処理部６により所定の圧縮処理が施され、Ｉ／Ｆ７を介してカードスロット８に装着された着脱メモリ９に画像ファイルとして記録される。
【００１８】
一方、カードスロット８に装着されている着脱メモリ９に記録された画像ファイルは、画像再生指示に応じてＩ／Ｆ７を介して読み出され、画像処理部６により所定の伸長処理が施された後、シスコン５により所定の画像処理が施され、ＶＲＡＭ１０に格納される。そして、ＬＣＤドライバ１１によって読み出され内蔵ＬＣＤ１２にその画像が表示される。
【００１９】
また、内蔵ＲＡＭであるＤＲＡＭ１３は、Ａ／Ｄ部４によりＡ／Ｄ変換された画像データの一時記憶用として、また画像処理部６による処理中の画像データの一時記憶用として、更にシスコン５による制御処理の実行のためのワークエリアとして使用されるメモリであり、シスコン５によって作成される後述の再生リストもこれに記憶される。
【００２０】
シスコン５は、ＣＰＵ（中央演算処理装置）を備えて構成され、内蔵ＲＯＭ１４に記憶されているカメラプログラムを読み出し実行することによって、当該電子カメラ全体の動作を制御するものであり、例えば後述の再生リストの作成・追加・削除を行う。
操作部１５は、撮影指示を行うためのレリーズボタン，再生画像のコマ送り指示や表示されたカーソルの移動等を行うための十字ボタン，項目を選択するためのＯＫボタン，電源のＯＮ／ＯＦＦを行うための電源ボタン，撮影モードや再生モード等の各種モードを切り換えるためのモード切換えスイッチ等、ユーザにより操作される各種ボタンやスイッチ等により構成され、ユーザからの各種指示を受け付けシスコン５へ通知するものである。例えば、十字ボタンの左ボタン又は右ボタンが押下されたときには、コマ番号の更新信号がシスコン５へ入力される。
【００２１】
次に、ＤＲＡＭ１３に記憶される再生リストについて説明する。
再生リストは、シスコン５により作成・追加・削除されるものであり、着脱メモリ９に記録されている特定数の画像ファイル（画像データ）のそれぞれについて、画像ファイルの着脱メモリ９への格納順位であるコマ番号と、画像ファイルのファイル名と、画像ファイルが記録されている着脱メモリ９上の領域の先頭クラスタ番号との対応関係を示したものである。
【００２２】
そして、画像を再生するときには、この再生リストを参照して再生対象とするコマ番号の画像ファイルの先頭クラスタ番号を取得し、着脱メモリ９上のその先頭クラスタ番号から始まる領域に直接アクセスして画像ファイルを読み出し再生することにより、画像ファイルにアクセスするまでの所要時間を短縮し、再生指示に応じたスムーズな再生を行うことが可能になっている。
【００２３】
図２は、ＤＲＡＭ１３に記憶される再生リストの一例を示す図である。
同図に示すように、再生リスト１６には、着脱メモリ９に記録されている特定数の画像ファイルのそれぞれについて、コマ番号とファイル名と先頭クラスタ番号との対応関係が示されている。そして、例えば、コマ番号１の画像ファイルを再生する場合には、まず、この再生リスト１６を参照して対応するクラスタ番号”５０”を取得し、着脱メモリ９上のクラスタ番号５０の領域に直接アクセスして、”ＡＡＡＡ０００１．ＪＰＧ”ファイルを読み出し、その画像を再生するものである。
【００２４】
尚、以下においては、各々対応するコマ番号とファイル名と先頭クラスタ番号とを、そのコマ番号の画像情報とも言う。例えば、図２の例においては、各々対応するコマ番号１とファイル名”ＡＡＡＡ０００１．ｊｐｇ”と先頭クラスタ番号５０とを、コマ番号１の画像情報とも言う。
【００２５】
また、本実施例において、コマ番号は再生順序に対応するものとする。
次に、この電子カメラの動作として、再生モードに設定された時に行われる動作について説明する。
図３(a)、図４(a),(b)、図５は、本動作の一例に係るフローチャート、図３(b) は、本動作で作成・追加・削除される再生リストのイメージ図、図３(c) は、本動作の処理中に表示されるフォルダ選択画面の一例を示す図である。
【００２６】
まず、図３(b) を用いて、本動作で使用される再生リストＡ、Ｂ、Ｃを説明する。
同図(b) に示すように、本動作において、再生リストＡとは、着脱メモリ９に記録されている画像ファイル（画像データ）の総数をＮ（但しＮ≧５０１）とし、そのＮ個の画像ファイルにコマ番号が付与されたときの、コマ番号１から後方へ１００コマ分の画像情報を有する再生リストであり、再生リストＢとは、そのときのコマ番号Ｎから前方へ１００コマ分の画像情報を有する再生リストである。また、再生リストＣとは、そのときの再生リストＡ及び再生リストＢに含まれるコマ番号以外のコマ番号であって連続する所定数コマ分の画像情報を有する再生リストである。また、本動作において、前方とはコマ番号が減少する方向を示し、後方とはコマ番号が増加する方向を示す。
【００２７】
続いて、図３(a),(c)、図４(a),(b)、図５を用いて、本動作を詳細に説明する。
本動作が開始すると、図３(a) に示したように、まず、コマ番号１から後方へ１００コマ分の画像情報を有する再生リストＡとコマ番号Ｎから前方へ１００コマ分の画像情報を有する再生リストＢとを作成し（Ｓ１）、両再生リストを内蔵ＲＡＭ１３に記憶する。
【００２８】
続いて、フォルダ選択画面を内蔵ＬＣＤに表示し（Ｓ２）、ユーザにより所望のフォルダが選択されるまで待機する（Ｓ３）。
ここで、フォルダ選択画面の一例を図３(c) に示す。同図(c) に示すように、フォルダ選択画面には、着脱メモリ９に記録されているフォルダが内蔵ＬＣＤ１２に表示される。そして、ユーザは、この選択画面において、十字キーの上下ボタンを押下することによりカーソル１７を上下に移動させ所望のフォルダを指示することができ、またＯＫボタンを押下することにより、カーソル１７が指示するフォルダを選択（決定）することができるようになっている。例えば、この例において、ＯＫボタンを押下したときには、フォルダ”１００ＯＬＹＭＰ”が選択される。
【００２９】
このようにして、ユーザにより所望のフォルダが選択されると、続いて、その選択されたフォルダ内に属する画像ファイルのコマ番号であって、再生順序が最初となるコマ番号をＸに設定する（Ｓ４）。これにより、再生表示する画像ファイルのコマ番号が設定される。尚、フォルダ内に属する画像ファイルのコマ番号であって、再生順序が最初となるコマ番号とは、例えば、そのフォルダに最後に格納された画像ファイルのコマ番号である。
【００３０】
続いて、コマ番号Ｘが、再生リストＡ内又は再生リストＢ内に含まれるか否かを判定する（Ｓ５）。ここで、その判定結果がＹｅｓの場合にはＳ７へ進み、Ｎｏの場合には、続いて、コマ番号Ｘと、コマ番号Ｘに連続する前方の１５０コマ分と、コマ番号Ｘに連続する後方の１５０コマ分との画像情報を有する再生リストＣを作成し（Ｓ６）、それを内蔵ＲＡＭ１３に記憶し、Ｓ７へ進む。
【００３１】
但し、Ｓ６において、コマ番号Ｘに連続する前方の１５０コマ分の一部が再生リストＡと重複する場合には、コマ番号Ｘに連続する前方の１５０コマ分に代えて、その１５０コマ分から重複するコマ分を差し引いた残りのコマ分とする。或いは、コマ番号Ｘに連続する前方の１５０コマ分の一部が再生リストＡと重複すると共に、コマ番号Ｘに連続する前方のコマ数が１５０に満たない場合には、コマ番号Ｘに連続する前方の１５０コマ分に代えて、コマ番号Ｘに連続する前方の全てのコマ分から重複するコマ分を差し引いた残りのコマ分とする。同様に、コマ番号Ｘに連続する後方の１５０コマ分の一部が再生リストＢと重複する場合には、コマ番号Ｘに連続する後方の１５０コマ分に代えて、その１５０コマ分から重複するコマ分を差し引いた残りのコマ分とする。或いは、コマ番号Ｘに連続する後方の１５０コマ分の一部が再生リストＢと重複すると共に、コマ番号Ｘに連続する後方のコマ数が１５０に満たない場合には、コマ番号Ｘに連続する後方の１５０コマ分に代えて、コマ番号Ｘに連続する後方の全てのコマ分から重複するコマ分を差し引いた残りのコマ分とする。
【００３２】
続いて、Ｓ７では、内蔵ＲＡＭ１３に記憶された再生リストから、コマ番号Ｘのクラスタ番号を取得し、対応する画像ファイルを着脱メモリ９から読み出し、内蔵ＬＣＤ１２にその画像を表示する（Ｓ８）。
続いて、コマ番号Ｘが再生リストＡ内に含まれるか否かを判定し（Ｓ９）、その判定結果がＹｅｓの場合にはＳ１０へ進み、Ｎｏの場合にはＳ１４へ進む。
【００３３】
このＳ９の判定において、その判定結果がＹｅｓの場合には、続いて、コマ番号Ｘが、再生リストＡ内の最後方のコマ番号から前方へ５０コマ分の中に含まれるか否かを判定し（Ｓ１０）、その判定結果がＹｅｓの場合にはＳ１１へ進み、Ｎｏの場合にはＳ３５へ進む。
【００３４】
このＳ１０の判定において、その判定結果がＹｅｓの場合には、続いて、再生リストＡ内の最後方のコマ番号と再生リストＣ内の最前方のコマ番号とが隣接（連続）しているか否かを判定し（Ｓ１１）、その判定結果がＹｅｓの場合にはＳ３５へ進み、Ｎｏの場合にはＳ１２へ進む。尚、Ｓ１１の判定において、当該判定時に再生リストＣが存在していなければ、Ｓ１１の判定結果はＮｏとなる。
【００３５】
このＳ１１の判定において、その判定結果がＮｏの場合には、再生リストＣに含まれる要素（画像情報）を全て削除し（Ｓ１２）、Ｓ１３へ進む。但し、Ｓ１２において、この時に再生リストＣが存在していなければ、何もせずにＳ１３へ進む。
続くＳ１３では、再生リストＡ内の最後方のコマ番号に連続する後方の１００コマ分の画像情報を再生リストＣに追加し、Ｓ３５へ進む。但し、Ｓ１３において、この時に、再生リストＣが存在していなければ、その１００コマ分の画像情報を有する再生リストＣを作成し、内蔵ＲＡＭ１３に記憶する。
【００３６】
一方、Ｓ９の判定において、その判定結果がＮｏの場合には、続いて、コマ番号Ｘが再生リストＢ内に含まれるか否かを判定し（Ｓ１４）、その判定結果がＹｅｓの場合にはＳ１５へ進み、Ｎｏの場合にはＳ１９へ進む。
このＳ１４の判定において、その判定結果がＹｅｓの場合には、続いて、コマ番号Ｘが、再生リストＢ内の最前方のコマ番号から後方へ５０コマ分の中に含まれるか否かを判定し（Ｓ１５）、その判定結果がＹｅｓの場合にはＳ１６へ進み、Ｎｏの場合にはＳ３５へ進む。
【００３７】
このＳ１５の判定において、その判定結果がＹｅｓの場合には、続いて、再生リストＢ内の最前方のコマ番号と再生リストＣ内の最後方のコマ番号とが隣接（連続）しているか否かを判定し（Ｓ１６）、その判定結果がＹｅｓの場合にはＳ３５へ進み、Ｎｏの場合にはＳ１７へ進む。尚、Ｓ１６の判定において、当該判定時に再生リストＣが存在していなければ、Ｓ１６の判定結果はＮｏとなる。
【００３８】
このＳ１６の判定において、その判定結果がＮｏの場合には、再生リストＣに含まれる要素（画像情報）を全て削除し（Ｓ１７）、Ｓ１８へ進む。但し、Ｓ１７において、この時に再生リストＣが存在していなければ、何もせずにＳ１８へ進む。
続くＳ１８では、再生リストＢ内の最前方のコマ番号に連続する前方の１００コマ分の画像情報を再生リストＣに追加し、Ｓ３５へ進む。但し、Ｓ１８において、この時に再生リストＣが存在していなければ、その１００コマ分の画像情報を有する再生リストＣを作成し、内蔵ＲＡＭ１３に記憶する。
【００３９】
一方、Ｓ１４の判定において、その判定結果がＮｏの場合には、続いて、コマ番号Ｘが、再生リストＣ内の最前方のコマ番号から後方へ５０コマ分の中に含まれるか否かを判定し（Ｓ１９）、その判定結果がＹｅｓの場合には図４(a) のＳ２０へ進み、Ｎｏの場合にはＳ２７へ進む。
【００４０】
このＳ１９の判定において、その判定結果がＹｅｓの場合には、図４(a) に示すように、続いて、再生リストＡ内の最後方のコマ番号と再生リストＣ内の最前方のコマ番号とが隣接（連続）しているか否かを判定し（Ｓ２０）、その判定結果がＹｅｓの場合には図３(a) のＳ３５へ進み、Ｎｏの場合にはＳ２１へ進む。
【００４１】
このＳ２０の判定において、その判定結果がＮｏの場合には、続いて、再生リストＡ内の最後方のコマ番号と再生リストＣ内の最前方のコマ番号との間に存在するコマ番号の総数が１００より小さいか否かを判定し（Ｓ２１）、その判定結果がＹｅｓの場合には、その間にあるコマ番号の総数をｎに設定し（Ｓ２２）、その判定結果がＮｏの場合には、１００をｎに設定する（Ｓ２３）。続いて、再生リストＣ内の最前方のコマ番号に連続する前方のｎコマ分の画像情報を再生リストＣに追加する（Ｓ２４）。
【００４２】
続いて、再生リストＣに含まれるコマ番号の総数が３００より大きいか否かを判定し（Ｓ２５）、その判定結果がＹｅｓの場合には、再生リストＣ内の最後方のコマ番号から前方へｎコマ分の画像情報を再生リストＣから削除し（Ｓ２６）、その判定結果がＮｏの場合には、Ｓ２６をスキップし、図３(a) のＳ３５へ進む。
【００４３】
一方、図３(a) のＳ１９の判定において、その判定結果がＮｏの場合には、続いて、コマ番号Ｘが、再生リストＣ内の最後方のコマ番号から前方へ５０コマ分の中に含まれるか否かを判定し（Ｓ２７）、その判定結果がＹｅｓの場合には図４(ｂ) のＳ２８へ進み、Ｎｏの場合にはＳ３５へ進む。
【００４４】
このＳ２７の判定において、その判定結果がＹｅｓの場合には、図４(b) に示すように、続いて、再生リストＢ内の最前方のコマ番号と再生リストＣ内の最後方のコマ番号とが隣接（連続）しているか否かを判定し（Ｓ２８）、その判定結果がＹｅｓの場合には図３(a) のＳ３５へ進み、Ｎｏの場合にはＳ２９へ進む。
【００４５】
このＳ２９の判定において、その判定結果がＮｏの場合には、続いて、再生リストＢ内の最前方のコマ番号と再生リストＣ内の最後方のコマ番号との間に存在するコマ番号の総数が１００より小さいか否かを判定し（Ｓ２９）、その判定結果がＹｅｓの場合には、その間にあるコマ番号の総数をｎに設定し（Ｓ３０）、その判定結果がＮｏの場合には、１００をｎに設定する（Ｓ３１）。続いて、再生リストＣ内の最後方のコマ番号に連続する後方のｎコマ分の画像情報を再生リストＣに追加する（Ｓ３２）。
【００４６】
続いて、再生リストＣに含まれるコマ番号の総数が３００より大きいか否かを判定し（Ｓ３３）、その判定結果がＹｅｓの場合には、再生リストＣ内の最前方のコマ番号から後方へｎコマ分の画像情報を再生リストＣから削除し（Ｓ３４）、その判定結果がＮｏの場合には、Ｓ３４をスキップし、図３(a) のＳ３５へ進む。
【００４７】
そして、図３(a) において、Ｓ３５では、ユーザからの指示入力待ちを行う。ここで、十字ボタンの左ボタンの押下を検出したときには、Ｘ−１をＸに設定し（Ｓ３６）、続いて、Ｘが１より小さいか否かを判定し（Ｓ３７）、その判定結果がＹｅｓの場合には、ＮをＸに設定し（Ｓ３８）、Ｎｏの場合にはＳ３８をスキップし、Ｓ７に戻る。
【００４８】
一方、Ｓ３５において、十字ボタンの右ボタンの押下を検出したときには、Ｘ＋１をＸに設定し（Ｓ３９）、続いて、ＸがＮより大きいか否かを判定し（Ｓ４０）、その判定結果がＹｅｓの場合には、１をＸに設定し（Ｓ４１）、Ｎｏの場合にはＳ４１をスキップし、Ｓ７に戻る。
【００４９】
尚、本動作において、前述のＳ１３，Ｓ１８，Ｓ２４，Ｓ３２では、その処理中であっても十字ボタンの左ボタン及び右ボタンの押下を検出することができるようになっており、その押下を検出したときには、対応する画像を表示することができるようになっている。
【００５０】
図５は、前述のＳ１３，Ｓ１８，Ｓ２４，Ｓ３２の各処理に係るフローチャートを示す図である。
同図において、再生リストＣに追加する画像情報を、コマ番号ａ乃至ｂ（ｂ−ａ＋１コマ分）の画像情報とすると、まず、ａ（再生リストＣへ追加する最初のコマ番号）をｉに設定し（Ｓ４２）、コマ番号ｉの画像情報を再生リストＣに追加する（Ｓ４３）。
【００５１】
続いて、ｉ＝ｂ（再生リストＣへ追加する最後のコマ番号）であるか否かを判定し（Ｓ４４）、その判定結果がＹｅｓの場合には本フローを終了し、Ｎｏの場合にはｉ＋１をｉに設定する（Ｓ４５）。
続いて、ユーザからの指示入力の有無を検出し（Ｓ４６）、何も指示入力が検出されなければＳ４３へ戻る。
【００５２】
一方、Ｓ４６において、十字ボタンの左ボタンの押下が検出されたときには、前述のＳ３６乃至３８と同様の処理を行って（Ｓ４７乃至４９）、Ｓ５３へ進み、十字ボタンの右ボタンの押下が検出されたときには、前述のＳ３９乃至４１と同様の処理を行って（Ｓ５０乃至５２）、Ｓ５３へ進む。
【００５３】
続くＳ５３では、コマ番号Ｘが、再生リストＡ，Ｂ，Ｃの何れかに含まれるか否かを判定し、その判定結果がＹｅｓの場合には、再生リストからコマ番号Ｘの先頭クラスタ番号を取得し（Ｓ５４）、対応する画像ファイルを着脱メモリ９から読み出し、内蔵ＬＣＤ１２にその画像を表示する（Ｓ５５）。
【００５４】
一方、Ｓ５３の判定において、その判定結果がＮｏの場合には、コマ番号ｉ乃至ｂの画像情報を再生リストＣに追加し（Ｓ５６）、本フローを終了する。すなわち、再生リストＣへの追加が終わるまで、ユーザの入力を受け付けない。
このような処理により、再生リストＣへ画像情報を追加する処理中に十字ボタンの左右ボタンが押下され、かつ、この時のコマ番号Ｘが再生リストＡ，Ｂ，Ｃに含まれる場合にはコマ番号Ｘの画像が再生されるようになる。
【００５５】
尚、ここでは、再生リストＣへの画像情報の追加処理中に左右ボタンが押下されたときの処理を説明したが、Ｓ１３及びＳ１８において再生リストＣが存在しないときに行われる再生リストＣの作成処理中に左右ボタンが押下されたときも同様にして処理が行われる。また、前述のＳ６（図３(a) 参照）において、再生リストＣの作成処理中に左右ボタンが押下されたときも同様にして処理を行うようにすることも可能である。
【００５６】
以上、本実施例によれば、所定数の再生コマの再生が終了した場合に、さらに再生が続くと予想して、新たな再生リストを事前に作成するようにしたので、さらに再生が続いて使用中の再生リストの再生予定コマがなくなっても新たな再生リストを参照してスムーズに画像を再生することができる。また、必要に応じて適量の画像コマに関する再生リストを作成するので、当該再生リストを短時間でかつ少ないメモリで作成できる。
【００５７】
また、再生リストへの画像情報の追加処理中であっても、ユーザからの入力を受け付けることができる。
尚、本実施例では、再生モードに設定された時に最初に再生される画像ファイルのコマ番号は、ユーザにより選択されたフォルダ内に属する画像ファイルのコマ番号であって再生順序が最初となるコマ番号であったが（Ｓ４参照）、例えば、これを、前回の再生モード時において最後に再生表示された画像ファイルのコマ番号とすることも可能である。すなわち、最新の再生モードに設定される前に設定された再生モード時において最後に再生表示された画像ファイルのコマ番号とすることも可能である。
【００５８】
また、本実施例では、再生リストＡ，Ｂ，Ｃを、画像ファイルが記録されている着脱メモリ９とは別の内蔵ＲＡＭ１３に記憶するようにしたものであるが、画像ファイルが記録されている着脱メモリ９に記録するようにすることも可能である。この場合には、当該電子カメラが起動中（電源ＯＮ中）は、少なくとも、再生リストＡ，Ｂ，Ｃが着脱メモリ９に記録保持されるものである。
【００５９】
また、当該電子カメラに複数のカードスロットを設け、複数の着脱メモリを同時に装着可能に構成し、一の着脱メモリに記録されている画像ファイルに係る再生リストＡ，Ｂ，Ｃを、他の着脱メモリに記録するようにすることも可能である。
また、本実施例では、本発明に係る画像表示装置又は画像表示方法を電子カメラに適用したが、その他にも、記録媒体に記録された画像ファイルを再生可能な、例えばＰＤＡ，ＰＨＳ，携帯電話器等の装置に適用することも可能であり、また、記録媒体に記録された画像ファイルを再生する画像表示装置そのものに適用しても良いのは勿論のことである。
【００６０】
以上、本発明について詳細に説明したが、本発明は上記実施例に限定されず、本発明の要旨を逸脱しない範囲において、各種の改良及び変更を行っても良いのはもちろんである。
【図面の簡単な説明】
【００６１】
【図１】実施例１に係る電子カメラの主要構成を示す図である。
【図２】ＤＲＡＭに記憶される再生リストの一例を示す図である。
【図３】(a) は電子カメラの動作の一例に係るフローチャートを示す図、(b) は本動作で作成・追加・削除される再生リストのイメージ図、(c) はフォルダ選択画面の一例を示す図である。
【図４】(a),(b) は、電子カメラの動作の一例に係るフローチャートを示す図である。
【図５】電子カメラの動作の一例に係るフローチャートを示す図である。
【図６】画像ファイルが一定のフォーマットに準拠した階層に従って記録媒体に記録されたときの一例を示す図である。
【図７】画像ファイルが記録されたメモリカードのデータ構造の一例を示す図である。
【符号の説明】
【００６２】
１      撮影レンズ系
２      撮像素子
３      撮像回路
４      Ａ／Ｄ部
５      シスコン
６      画像処理部
７      Ｉ／Ｆ
８      カードスロット
９      着脱メモリ
１０    ＶＲＡＭ
１１    ＬＣＤドライバ
１２    内蔵ＬＣＤ
１３    内蔵ＲＡＭ（ＤＲＡＭ）
１４    内蔵ＲＯＭ
１５    操作部
１６    再生リスト
１７    カーソル
【図１】
2005318352.tif 000003
【図２】
2005318352.tif 000004
【図３】
2005318352.tif 000005
【図４】
2005318352.tif 000006
【図５】
2005318352.tif 000007
【図６】
2005318352.tif 000008
【図７】
2005318352.tif 000009